(57)【要約】【課題】１枚の回路基板に正負の帯電状態をそれぞれ表示する２枚の表示素子を設けて、本構成を有しない場合と比べて検出対象の正負の帯電状態を識別しやすく、かつ安価に製造可能な帯電検出装置を提供する。【解決手段】帯電検出装置１は、ＦＰＣと、ＦＰＣに実装され、視認される側にある透明電極１３およびＦＰＣに実装される側にあるセグメント電極１５を有し、帯電状態を検出すべき検出対象が正に帯電しているか否かを表示するＥ−ＩＮＫシート１０と、ＦＰＣに実装され、視認される側にある透明電極２３およびＦＰＣに実装される側にあるセグメント電極２５を有し、検出対象が負に帯電しているか否かを表示するＥ−ＩＮＫシート２０とを有する。セグメント電極１５および透明電極２３は検出対象に接続され、透明電極１３およびセグメント電極２５は帯電状態の検出時に接地される。【選択図】図４
2014137245.tif 000002
【特許請求の範囲】
【請求項１】
回路基板と、
前記回路基板に実装され、視認される側にある第１の視認側電極および当該回路基板に実装される側にある第１の実装側電極を有し、帯電状態を検出すべき検出対象が、正か負の何れか一方に帯電しているか否かを表示する電子ペーパーによる第１の表示素子と、
前記回路基板に実装され、視認される側にある第２の視認側電極および当該回路基板に実装される側にある第２の実装側電極を有し、前記検出対象が、他方に帯電しているか否かを表示する電子ペーパーによる第２の表示素子と、
を有し、
前記第１の実装側電極および前記第２の視認側電極が、前記検出対象に接続され、
前記第１の視認側電極および前記第２の実装側電極が、帯電状態の検出時に接地される
ことを特徴とする帯電検出装置。
【請求項２】
前記第１および第２の表示素子が、内部湿度が６０％以上かつ８０％未満に調湿された電気泳動表示シートである、請求項１に記載の帯電検出装置。
【請求項３】
前記第１および第２の表示素子が、抵抗率が１．５ＭΩ／ｃｍ２以上かつ２．５ＭΩ／ｃｍ２以下になるように内部湿度が調湿された電気泳動表示シートである、請求項１または２に記載の帯電検出装置。
【請求項４】
前記第１の実装側電極および前記第２の視認側電極と前記検出対象に接続される端子との間に接続された、抵抗値が１０Ω以上かつ５００ＫΩ未満の抵抗をさらに有する、請求項１〜３のいずれか１項に記載の帯電検出装置。
【発明の詳細な説明】
【技術分野】
【０００１】
本発明は、検出対象の帯電状態を検出する帯電検出装置に関する。
【背景技術】
【０００２】
半導体装置や電子部品などの精密デバイスの生産工程では、静電気対策として、作業者が手にアースバンドを巻いて体をグランドに接地させることで、静電気から電子部品を保護している。アースバンドにより実際に静電気が放電したかどうかを確かめるには、アースバンドを着用している作業者の帯電状態を検出し、記録する手段が必要になる。そこで、電子ペーパーを利用して、検出対象の帯電状態を検出し記録する装置が提案されている。
【０００３】
例えば、特許文献１には、電子ペーパー表示素子を有し、物体の無帯電部分、正帯電部分、負帯電部分の少なくとも一つの帯電状態の部分を他の帯電状態と異なる色で表示する帯電状態検出装置が記載されている。
【０００４】
また、特許文献２には、被測定物に取り付けて帯電量の測定を行う帯電量測定器であって、表示用透明基板と被測定物側に位置するベース基板とが所定間隔離間して配置され、これらの基板の間には帯電物質が封入されている電圧記録用セルを少なくとも一つ備える帯電量測定器が記載されている。
【先行技術文献】
【特許文献】
【０００５】
【特許文献１】特開２００４−２９４２７３号公報
【特許文献２】特開２００６−１１２９０７号公報
【発明の概要】
【発明が解決しようとする課題】
【０００６】
しかしながら、例えば正の帯電部分が黒色になり負の帯電部分が白色になる１枚の電子ペーパーの表示素子で帯電状態を表示すると、帯電していない状態を白と黒の中間色で表すことになるため、帯電している状態と帯電していない状態とを識別しにくくなる。また、単純に正負の帯電状態の検出用に２枚の電子ペーパーによる表示素子を設けると、回路基板も２枚必要になり、帯電検出装置の製造コストが高くなる。
【０００７】
そこで、本発明は、１枚の回路基板に正負の帯電状態をそれぞれ表示する２枚の表示素子を設けて、本構成を有しない場合と比べて検出対象の正負の帯電状態を識別しやすく、かつ安価に製造可能な帯電検出装置を提供することを目的とする。
【課題を解決するための手段】
【０００８】
本発明に係る帯電検出装置は、回路基板と、回路基板に実装され、視認される側にある第１の視認側電極および回路基板に実装される側にある第１の実装側電極を有し、帯電状態を検出すべき検出対象が、正か負の何れか一方に帯電しているか否かを表示する電子ペーパーによる第１の表示素子と、回路基板に実装され、視認される側にある第２の視認側電極および回路基板に実装される側にある第２の実装側電極を有し、検出対象が、他方に帯電しているか否かを表示する電子ペーパーによる第２の表示素子と、を有し、第１の実装側電極および第２の視認側電極が、検出対象に接続され、第１の視認側電極および第２の実装側電極が、帯電状態の検出時に接地されることを特徴とする。
【０００９】
本発明に係る帯電検出装置では、第１および第２の表示素子が、内部湿度が６０％以上かつ８０％未満に調湿された電気泳動表示シートであることが好ましい。
【００１０】
本発明に係る帯電検出装置では、第１および第２の表示素子が、抵抗率が１．５ＭΩ／ｃｍ２以上かつ２．５ＭΩ／ｃｍ２以下になるように内部湿度が調湿された電気泳動表示シートであることが好ましい。
【００１１】
本発明に係る帯電検出装置では、第１の実装側電極および第２の視認側電極と検出対象に接続される端子との間に接続された、抵抗値が１０Ω以上かつ５００ＫΩ未満の抵抗をさらに有することが好ましい。
【発明の効果】
【００１２】
本発明によれば、本構成を有しない場合と比べて検出対象の正負の帯電状態を識別しやすくなり、かつ帯電検出装置を安価に製造可能することが可能になる。
【図面の簡単な説明】
【００１３】
【図１】帯電検出装置１の外観図である。
【図２】帯電検出装置１の概略構成図である。
【図３】帯電検出装置１の断面図である。
【図４】帯電検出装置１のブロック図である。
【図５】Ｅ−ＩＮＫシート１０とＥ−ＩＮＫシート２０の間の接続関係を示した模式図である。
【図６】帯電検出装置１の動作を説明するための図である。
【図７】Ｅ−ＩＮＫシートの内部湿度と抵抗値の関係を示した表およびグラフである。
【発明を実施するための形態】
【００１４】
以下、添付図面を参照して、本発明に係る帯電検出装置について詳細に説明する。ただし、本発明の技術的範囲はそれらの実施の形態に限定されず、特許請求の範囲に記載された発明とその均等物に及ぶ点に留意されたい。
【００１５】
図１は、帯電検出装置１の外観図である。帯電検出装置１は、全体で数ｃｍ２程度の大きさである。帯電検出装置１は、装置全体を覆うカバー５と、検出対象の帯電状態を表示する表示部６および７と、帯電検出装置１を検出対象に接続しかつ接地するための２本のリード線８とを有する。表示部６は、検出対象が正に帯電している場合に表示が白色から黒色に変化し、表示部７は、検出対象が負に帯電している場合に表示が白色から黒色に変化する。リード線８は、検出時に、検出対象が装着しているアースバンドに一方が接続され、他方がグランドに接続される。
【００１６】
図２は、帯電検出装置１の概略構成図である。図２は、図１のカバー５で覆われた内部を示した上面図である。帯電検出装置１は、フレキシブル回路基板（Flexible Printed Circuit）（以下、ＦＰＣという）２と、ＦＰＣ２の上に実装されたＥ−ＩＮＫシート１０および２０と、Ｅ−ＩＮＫシート１０および２０を覆う前面バリア３と、ＦＰＣ２の裏面を覆う裏面バリア４（図３（Ａ）参照）とを有する。
【００１７】
Ｅ−ＩＮＫシート１０および２０は、米国Ｅ  Ｉｎｋ社が提供する電気泳動方式の電子ペーパーであり、検査対象の帯電状態を表示する電気泳動表示シートである。Ｅ−ＩＮＫシート１０とＥ−ＩＮＫシート２０は、同じ構成よりなるが、Ｅ−ＩＮＫシート１０は、検出対象が正に帯電している場合に表示が白色から黒色に変化し、一方、Ｅ−ＩＮＫシート２０は、検出対象が負に帯電している場合に表示が白色から黒色に変化するように、配線を工夫してある。帯電検出装置１は、図１の表示部６および７を介してＥ−ＩＮＫシート１０および２０をそれぞれ視認できるように構成されている。なお、Ｅ−ＩＮＫシートの代わりに他の種類の電子ペーパーを利用してもよい。
【００１８】
前面バリア３は、ＰＥＴフィルムに酸化アルミなどの透明な防湿層が形成された、透明で防湿性のカバー部材である。帯電検出装置１では、１枚の基板に２枚のＥ−ＩＮＫシート１０および２０を貼り、それらの全体を前面バリア３で覆い、前面バリア３に塗布されている熱可塑性の接着材で貼り合わせる。裏面バリア４（図３（Ａ）参照）は、ＰＥＴフィルムにアルミ箔を積層した防湿性のカバー部材であり、透明である必要はない。裏面バリア４は、熱可塑性の接着材でＦＰＣ２と貼り合わせる。
【００１９】
また、帯電検出装置１は、ＦＰＣ２上に設けられた３つの端子Ａ，ＢおよびＣを有する。検出対象の帯電状態を検出する際は、その検出対象が装着しているアースバンドに端子Ａを接続する。すなわち、帯電状態を検出すべき検出対象に端子Ａを接続する。一方、端子ＢおよびＣは、帯電状態の検出時に接地する。
【００２０】
図３（Ａ）および図３（Ｂ）は、帯電検出装置１の断面図である。図３（Ａ）は図２のＸＸ’線断面図である。ＦＰＣ２上には、金属などの導体によってセグメント電極１５，２５が形成される。このセグメント電極１５，２５の上に、Ｅ−ＩＮＫシート１０，２０が実装される。Ｅ−ＩＮＫシート１０，２０は、セグメント電極１５，２５に接着するための接着層１１，２１と、電気泳動層（表示層）１２，２２と、酸化インジウム錫（ＩＴＯ）で構成される透明電極１３，２３と、可撓性の透明基板１４，２４とを有する。透明電極１３，２３は透明基板１４，２４のＦＰＣ２側（下側）の面に形成されている。透明電極１３，２３が形成されていない側（上側）の透明基板１４，２４の面が、Ｅ−ＩＮＫシート１０，２０の視認側となる。
【００２１】
透明電極１３および２３は、それぞれ第１および第２の視認側電極の一例である。セグメント電極１５および２５は、それぞれ第１および第２の実装側電極の一例である。なお、セグメント電極１５および２５の形状は、長方形に限らず、円形などでもよい。
【００２２】
電気泳動層１２，２２は、負に帯電した白色の顔料粒子と正に帯電した黒色の顔料粒子を含む電気泳動分散液が封入された直径数十μｍの多数のマイクロカプセルで構成される。電気泳動層１２，２２では、透明電極１３，２３とセグメント電極１５，２５の間に発生する電界の向きに応じてマイクロカプセル内の白色粒子と黒色粒子が電気泳動し、いずれか一方の粒子が透明電極１３，２３側（上側）に集まって、白色または黒色を表示する。電気泳動層１２，２２は、メモリー性を有し、一度表示を行うと電圧を印加し続けなくてもその表示状態を維持するので、検出対象の帯電状態を記録することができる。
【００２３】
図３（Ｂ）は図２のＹＹ’線断面図である。ＦＰＣ２上には、金属などの導体によって、セグメント電極１５とともにＣＯＭ電極１６が形成される。セグメント電極１５上にＥ−ＩＮＫシート１０が実装されるが、ＣＯＭ電極１６上では、接着層１１と電気泳動層１２が除去され、導電ゴム１７が設けられている。この導電ゴム１７を介して、Ｅ−ＩＮＫシート１０の透明電極１３とＣＯＭ電極１６が接続される。なお、図３（Ｂ）では示していないが、同様に、ＦＰＣ２上にはＣＯＭ電極２６（図２参照）も形成されており、ＣＯＭ電極２６は、導電ゴム２７（図４参照）を介してＥ−ＩＮＫシート２０の透明電極２３に接続される。
【００２４】
図４は、帯電検出装置１のブロック図である。また、図５は、Ｅ−ＩＮＫシート１０とＥ−ＩＮＫシート２０の間の接続関係を示した模式図である。端子Ａは、抵抗３０を介して、Ｅ−ＩＮＫシート１０の実装側電極であるセグメント電極１５に接続される。そしてセグメント電極１５は、ＣＯＭ電極２６にも接続されており、導電ゴム２７を介してＥ−ＩＮＫシート２０の視認側電極である透明電極２３に接続される。端子Ｃは、ＣＯＭ電極１６に接続され、さらに導電ゴム１７を介してＥ−ＩＮＫシート１０の視認側電極である透明電極１３に接続される。また、端子Ｂは、Ｅ−ＩＮＫシート２０の実装側電極であるセグメント電極２５に接続される。すなわち、図４および図５に示したように、Ｅ−ＩＮＫシート１０および２０は、端子Ａと端子ＢおよびＣとの間に電圧をかけたときに極性が互いに逆になるように配線され、互いに反対側の電極が端子Ａに接続される。
【００２５】
抵抗３０の抵抗値は、数十〜数百ＫΩ程度（１０Ω以上かつ５００ＫΩ未満）である。Ｅ−ＩＮＫシートは定格１５Ｖであり、通常は１５Ｖ以下の電圧をかけて使用する。しかしながら、静電気が流れるときは１０００〜２０００Ｖ程度の電圧がかかる。このような高電圧がかかって電流が流れると、電流集中により例えば導電ゴム１７および２７と接続している部分の透明電極１３および２３が消失し、Ｅ−ＩＮＫシート１０および２０が破損するおそれがある。そこで、帯電検出装置１では、数十〜数百ＫΩ程度の抵抗３０を設けてＥ−ＩＮＫシート１０および２０に流れる電流を制限することで、耐久性を向上させている。
【００２６】
帯電検出装置１は、使用前にＥ−ＩＮＫシート１０および２０の両方を白色に初期化しておく。初期化する際は、端子Ａを開放し、端子ＢおよびＣに、例えば３０Ｖ程度でパルス幅が５００ｍｓ程度の矩形波の電圧を印加する。そうすると、Ｅ−ＩＮＫシート１０とＥ−ＩＮＫシート２０に、それぞれ１５Ｖが印加され、表示層１２および２２の色が白、黒、白、・・・と繰り返し反転するので、両方が白色になったところで停止させて、表示層１２および２２を白色にする。あるいは、３０Ｖ程度の直流電圧を１秒程度印加して、表示状態を白色にしてもよい。
【００２７】
図６（Ａ）〜図６（Ｃ）は、帯電検出装置１の動作を説明するための図である。図６（Ａ）〜図６（Ｃ）では、図４に示した構成要素のうち、動作の説明に必要な部分のみを簡略化して示している。図６（Ａ）は、Ｅ−ＩＮＫシート１０および２０を初期化した状態を示す。Ｅ−ＩＮＫシート１０および２０の表示層１２および２２は、いずれも白色を示している。帯電状態を検出するときは、この状態で端子Ｂと端子Ｃをショートさせる。そして、端子Ａをアースバンドに接続し、端子ＢおよびＣを接地する。すなわち、端子Ａと端子ＢおよびＣをアースバンドとグランドの間に挿入する。
【００２８】
図６（Ｂ）は、帯電検出装置１が正の帯電状態を検出した状態を示す。帯電検出装置１の検出対象が正の静電気を帯びていると、正の静電気が端子Ａに発生し、これによりＥ−ＩＮＫシート１０および２０に電圧が印加される。Ｅ−ＩＮＫシート１０では、透明電極１３の反対側にあるセグメント電極１５が端子Ａに接続されているため、正に帯電した黒色粒子が透明電極１３に引き付けられる。したがって、表示層１２は黒色に変化する。一方、Ｅ−ＩＮＫシート２０では、透明電極２３が端子Ａに接続されているため、負に帯電した白色粒子が透明電極１３に引き付けられる。したがって、表示層２２は白色のままとなる。表示層１２の色の変化を観察することにより、検出対象が正の静電気を帯びていることがわかる。
【００２９】
図６（Ｃ）は、帯電検出装置１が負の帯電状態を検出した状態を示す。帯電検出装置１の検出対象が負の静電気を帯びていると、負の静電気が端子Ａに発生する。これにより、上記の場合とは逆に、Ｅ−ＩＮＫシート１０では負に帯電した白色粒子が透明電極１３に引き付けられる。このため、表示層１２は白色のままとなる。一方、Ｅ−ＩＮＫシート２０では、正に帯電した黒色粒子が透明電極２３に引き付けられる。このため、表示層２２は黒色に変化する。表示層２２の色の変化を観察することにより、検出対象が負の静電気を帯びていることがわかる。
【００３０】
Ｅ−ＩＮＫシートはメモリー性があり表示状態を保持できるので、どちらかの表示層が黒色に変化すれば、その表示層に対応する符号の静電気が検出対象に発生したことが確認される。そして、再び上記の初期化を行えば、帯電検出装置１は繰り返し使用可能である。
【００３１】
上記の通り、帯電検出装置１では、切り離された２枚のＥ−ＩＮＫシートを、内部で極性が互いに逆になるように配線して１枚のＦＰＣ２上に貼り付けた構成をとっている。このような極性を互いに逆にする構成をとらずに２枚のＥ−ＩＮＫシートを配線しようとすると、ＦＰＣが１枚では実現できず、ＦＰＣ自体も２枚必要になる。帯電検出装置１では、上記の配線により２枚のＥ−ＩＮＫシートを１枚のＦＰＣに実装できるようにして、製造コストの削減を可能にしている。
【００３２】
以下では、Ｅ−ＩＮＫシートの調湿について説明する。ＲＣＪＳ規格により、アースバンドには１ＭΩ程度の抵抗を含めることが定められている。このため、Ｅ−ＩＮＫシートを用いて帯電検出装置１を製造すると、アースバンドと帯電検出装置１を合わせた抵抗値が高くなり過ぎる。したがって、帯電検出装置１内でＥ−ＩＮＫシート１０および２０の抵抗値を抑えることが求められる。これらのシートの面積を大きくすれば抵抗値は下がるが、それでは帯電検出装置１のサイズが大きくなり製造コストも上がる。このため、装置を大型化することなく抵抗値を下げることが求められる。そこで、帯電検出装置１では、Ｅ−ＩＮＫシート１０および２０を調湿することにより、電子ペーパー自体の抵抗値を下げる。
【００３３】
帯電検出装置１は、大まかに次の工程を経て製造される。まず、数ｃｍ２程度の大きさで、内部の配線を形成したＦＰＣ２を用意する。次に、Ｅ−ＩＮＫシートを適切な大きさに切断し、接着層を柔らかくするために、加熱してＦＰＣ２の表面に貼り付ける。その際、Ｅ−ＩＮＫシートは、加熱され、電気泳動層の含水量が低下する。電気泳動層の含水量が少ないと、メモリー性が低下し、その結果、表示コントラストが低下する。そのため、湿度が一定に保たれた雰囲気にＦＰＣ２を一定時間置き、Ｅ−ＩＮＫシート１０および２０を調湿する。最後に、ＦＰＣ２を前面バリア３および裏面バリア４で包み、加熱してラミネートすることで密封する。
【００３４】
Ｅ−ＩＮＫシートを単に表示部として通常使用する場合は、調湿する工程のところで、シート内部の湿度を５０％程度にする。しかしながら、シート内の水分を増やすことにより、マイクロカプセルを含む電気泳動層の抵抗値を下げることができる。そこで、帯電検出装置１では、上記の調湿する工程で、通常の５０％よりも高い湿度にＥ−ＩＮＫシート１０および２０を調湿する。
【００３５】
図７（Ａ）および図７（Ｂ）は、Ｅ−ＩＮＫシートの内部湿度と抵抗値の関係を示した表およびグラフである。図示したデータは、湿度が一定に保たれた雰囲気にＥ−ＩＮＫシートを十分長い時間置いた後、１ｋＨｚで１Ｖの電圧をかけてインピーダンス測定を行って得られた結果である。測定は、５０％、７０％および８０％の湿度について４回ずつ行った。
【００３６】
こうして得られた単位面積当たりの抵抗値（抵抗率）の平均値は、内部湿度が５０％、７０％、８０％のとき、それぞれ２．６７ＭΩ／ｃｍ２、２．３１ＭΩ／ｃｍ２、１．１９ＭΩ／ｃｍ２となった。図７（Ｂ）のグラフでは、これらの点を実線で結んでいる。この結果から、内部湿度が５０％、７０％、８０％と高くなるにつれて、抵抗値が３．０ＭΩ／ｃｍ２、２．０ＭΩ／ｃｍ２、１．５ＭΩ／ｃｍ２と下がる傾向が読み取れる。このことを、図７（Ｂ）のグラフでは破線で示している。
【００３７】
ただし、電気泳動方式の表示素子には適切な湿度の範囲があり、内部湿度がこの範囲外になると、表示むらが生じたり、白と黒の切り替えがスムーズ行われなくなったりするなどの問題が生じる場合がある。実際に、内部湿度が８０％を超えると、Ｅ−ＩＮＫシートの白色の表示にむらが出ることが確かめられた。これは、内部湿度を上げ過ぎると、電気泳動層の抵抗が下がり過ぎ、下側にある接着層に多くの電圧がかかってしまい、電気泳動層へ印加される電圧が低下し、帯電した粒子が動きにくくなることに起因すると考えられる。このため、内部湿度は８０％未満に調湿することが好ましい。
【００３８】
帯電検出装置１の一例としてＥ−ＩＮＫシート１０および２０の面積を４ｃｍ２にすると、内部湿度が７０％のとき、抵抗値は５７７．５ｋΩ／４ｃｍ２となる。Ｅ−ＩＮＫシート１０および２０の抵抗値がこの程度であれば、抵抗３０などの他の素子と合わせて、帯電検出装置１の全体の抵抗値を１ＭΩ程度にすることができる。なお、１ＭΩの抵抗を取り除いたアースバンドと組み合わせて帯電検出装置１を使用することにより、帯電検出装置１とアースバンドの全体で、ＲＣＪＳ規格を満たす１ＭΩ程度の抵抗値とすることができる。
【００３９】
したがって、Ｅ−ＩＮＫシート１０および２０は、通常の５０％より高い、概ね６０％以上かつ８０％未満に調湿することが好ましく、７０％程度に調湿することがより好ましい。抵抗値で言えば、図７（Ｂ）のグラフより、内部湿度が６０％のとき２．５ＭΩ／ｃｍ２程度であり８０％のとき１．５ＭΩ／ｃｍ２程度であることから、Ｅ−ＩＮＫシート１０および２０は、抵抗率が１．５〜２．５ＭΩ／ｃｍ２程度になるように調湿することが好ましい。
【００４０】
なお、前面バリア３と裏面バリア４に十分な防湿性能があれば、このように調整された内部湿度は長期間保たれる。しかしながら、前面バリア３と裏面バリア４により密封された領域内にＥ−ＩＮＫシート１０および２０とともに保湿シートを配置して、調整された湿度がより長期間保たれるようにしてもよい。
【００４１】
なお、図７（Ｂ）のグラフによれば、内部湿度を５０％から７０％に上げると抵抗値が２／３になることから、Ｅ−ＩＮＫシート１０および２０を５０％から７０％に調湿すれば、抵抗値を同じにしたまま各シートのサイズを２／３くらいに小さくすることができ、例えば、３ｃｍ２でも、１ＭΩの規格を満たすことができ、小型で低コストの帯電検出装置を提供することが可能になる。
【００４２】
また、上記で説明した接続とは逆に、端子ＡをＥ−ＩＮＫシート１０の視認側電極である透明電極１３およびＥ−ＩＮＫシート２０の実装側電極であるセグメント電極２５に接続し、端子ＣをＥ−ＩＮＫシート１０の実装側電極であるセグメント電極１５に接続し、端子ＢをＥ−ＩＮＫシート２０の視認側電極である透明電極２３に接続してもよい。この場合、Ｅ−ＩＮＫシート１０が負の帯電状態を表示し、Ｅ−ＩＮＫシート２０が正の帯電状態を表示することになる。
【符号の説明】
【００４３】
１    帯電検出装置
２    フレキシブル回路基板（ＦＰＣ）
３    前面バリア
４    裏面バリア
６，７    表示部
１０，２０    Ｅ−ＩＮＫシート
１１，２１    接着層
１２，２２    電気泳動層（表示層）
１３，２３    透明電極
１４，２４    透明基板
１５，２５    セグメント電極
１６，２６    ＣＯＭ電極
１７，２７    導電ゴム
３０    抵抗
【図１】
2014137245.tif 000003
【図２】
2014137245.tif 000004
【図３】
2014137245.tif 000005
【図４】
2014137245.tif 000006
【図５】
2014137245.tif 000007
【図６】
2014137245.tif 000008
【図７】
2014137245.tif 000009